(57)【要約】【課題】薬品容器の引き出し時に棚板部材からの脱落を防止可能であり、薬品容器に対する収容物の補填作業が容易な薬品棚を提供する。【解決手段】薬品棚１において、棚板部材１０が外郭部材に収容された状態で薬品容器７を引き出す容器引出操作と、薬品容器７を棚板部材１０の所定の位置に載置した状態で棚板部材１０を引き出す棚板引出操作が可能なものとする。そして、薬品容器７が容器引出操作によって引き出された際には薬品容器７と脱落阻止部４６が接触して引き出し方向への移動が規制され、棚板引出操作によって棚板部材１０を引き出す際には、薬品容器７と脱落阻止部４６が接触せずに引き出し方向への移動が規制されないものとする。【選択図】図５
2019111034.tif 000002
【特許請求の範囲】
【請求項１】
外郭部材と、当該外郭部材に収容された棚板部材を有し、前記棚板部材に薬品容器が載置される薬品棚において、
前記棚板部材が前記外郭部材に収容された状態で薬品容器を引き出す容器引出操作と、薬品容器を前記棚板部材の所定の位置に載置した状態で前記棚板部材を引き出す棚板引出操作が可能であり、
薬品容器と接触して薬品容器の脱落を阻止する脱落阻止部を有し、
薬品容器が前記容器引出操作によって引き出された際には薬品容器と前記脱落阻止部が接触して引き出し方向への移動が規制され、
前記棚板引出操作によって前記棚板部材を引き出す際には、薬品容器と前記脱落阻止部は接触せずに引き出し方向への移動が規制されないことを特徴とする薬品棚。
【請求項２】
外郭部材と、当該外郭部材に収容された複数の棚板部材と、前記棚板部材に載置される複数の薬品容器を有する薬品棚において、
前記棚板部材が前記外郭部材に収容された状態で薬品容器を引き出す容器引出操作と、薬品容器を前記棚板部材の所定の位置に載置した状態で前記棚板部材を引き出す棚板引出操作が可能であり、
薬品容器と接触して薬品容器の脱落を阻止する脱落阻止部を有し、
薬品容器が前記容器引出操作によって引き出された際には薬品容器と前記脱落阻止部が接触して引き出し方向への移動が規制され、
前記棚板引出操作によって前記棚板部材を引き出す際には、薬品容器と前記脱落阻止部は接触せずに引き出し方向への移動が規制されないことを特徴とする薬品棚。
【請求項３】
前記容器引出操作によって薬品容器を引き出した際に薬品容器の位置及び／又は姿勢を通常状態から変更して引出時状態に変化させる変位手段を有し、
薬品容器が前記引出時状態に変化した場合には、薬品容器と前記脱落阻止部が接触する位置関係となり、
薬品容器が通常状態である際には薬品容器と前記脱落阻止部は、接触しない位置関係となることを特徴とする請求項１又は２に記載の薬品棚。
【請求項４】
変位手段によって前記引出時状態に変化している状態においては、薬品容器が障害物となって前記棚板部材を引き出す操作が不能または困難となることを特徴とする請求項３に記載の薬品棚。
【請求項５】
前記変位手段は、前記棚板部材に形成された隆起部であり、薬品容器が引き出された際に、薬品容器が前記隆起部に乗り上げて薬品容器の位置及び／又は姿勢が変わることを特徴とする請求項３又は４に記載の薬品棚。
【請求項６】
前記引出時状態は、通常状態に比べて少なくとも一部が上昇した状態であり、且つ傾斜した姿勢であることを特徴とする請求項３乃至５のいずれかに記載の薬品棚。
【請求項７】
前記棚板部材は、薬品容器を載置する載置面を有し、前記脱落阻止部は、載置面の上部側にあって上部側の前記棚板部材又は前記外郭部材から前記載置面側に突出するものであることを特徴とする請求項１乃至６のいずれかに記載の薬品棚。
【請求項８】
薬品容器は上部側が開口する箱体であり、薬品容器に突出部があり、当該突出部が前記脱落阻止部と当接することを特徴とする請求項１乃至７のいずれかに記載の薬品棚。
【請求項９】
前記棚板引出操作の際に薬品容器が載置される位置は、薬品の保管時に薬品容器が載置される位置であり、前記棚板部材の引き出し方向における先端側となる位置であることを特徴とする請求項１乃至８のいずれかに記載の薬品棚。
【請求項１０】
前記棚板部材は、薬品容器を載置する載置面を有し、
前記載置面には、シート体が敷かれており、
前記シート体は、布地及び合成樹脂を主たる原料とする、又は、天然皮革を主たる原料とすることを特徴とする請求項１乃至９のいずれかに記載の薬品棚。
【発明の詳細な説明】
【技術分野】
【０００１】
本発明は、医療機関等で薬品の保管管理のために使用される薬品棚に関する。
【背景技術】
【０００２】
従来、調剤薬局等の医療機関では、薬品を保管するために薬品棚が使用されている。このような薬品棚として、例えば、特許文献１に開示されたものがある。
【０００３】
特許文献１に開示された薬品棚は、下方側に位置する調剤台と上方に位置する棚体とが一体に形成されたものである。この棚体は、一般的な棚と同様に、２つの側壁間に複数の棚板が位置しており、これらの棚板が上下方向で間隔を空けて並列配置されている。そして、それぞれの棚板に、錠剤が封入されたブリスターパックを収容する収容容器（薬品容器）が載置されている。
【０００４】
より詳細には、一つの棚板の上に複数の収容容器がそれぞれ載置され、複数の収容容器が２つの側壁の離間方向に沿って並べられた状態となっている。そして、それぞれの収容容器は、個別に手前側への引き出しが可能となっている。
ここで、棚板の手前側端部（収容容器の引き出し方向における先端側の端部）には、下方側へ突出する支持部が設けられている。そして、収容容器には、棚板上に載置した状態において奥側となる部分に、上方へ突出する突起部分（ストッパー）が設けられている。
そして、一の棚板に載置された収容容器を手前側へ一定以上引き出すと、この一の棚板と収容容器の上側に位置する棚板の支持部に、収容容器のストッパー部分が当接する。このことにより、収容容器の棚板からの脱落を防止する。
【先行技術文献】
【特許文献】
【０００５】
【特許文献１】特許第３８９２９４６号公報
【発明の概要】
【発明が解決しようとする課題】
【０００６】
しかしながら、特許文献１の薬品棚では、複数の収容容器に薬品を補填する作業を行う際、一つ一つ収容容器（薬品容器）を引き出して補填する必要があり、作業の容易化を図る上で改良の余地があった。
【０００７】
そこで本発明は、薬品容器の引き出し時に棚板部材からの脱落を防止可能であり、薬品容器に対する収容物の補填作業が容易な薬品棚を提供することを課題とする。
【課題を解決するための手段】
【０００８】
上記課題を解決するための本発明の一つの様相は、外郭部材と、当該外郭部材に収容された棚板部材を有し、前記棚板部材に薬品容器が載置される薬品棚において、前記棚板部材が前記外郭部材に収容された状態で薬品容器を引き出す容器引出操作と、薬品容器を前記棚板部材の所定の位置に載置した状態で前記棚板部材を引き出す棚板引出操作が可能であり、薬品容器と接触して薬品容器の脱落を阻止する脱落阻止部を有し、薬品容器が前記容器引出操作によって引き出された際には薬品容器と前記脱落阻止部が接触して引き出し方向への移動が規制され、前記棚板引出操作によって前記棚板部材を引き出す際には、薬品容器と前記脱落阻止部は接触せずに引き出し方向への移動が規制されないものである。
また、他の一つの様相は、外郭部材と、当該外郭部材に収容された複数の棚板部材と、前記棚板部材に載置される複数の薬品容器を有する薬品棚において、前記棚板部材が前記外郭部材に収容された状態で薬品容器を引き出す容器引出操作と、薬品容器を前記棚板部材の所定の位置に載置した状態で前記棚板部材を引き出す棚板引出操作が可能であり、薬品容器と接触して薬品容器の脱落を阻止する脱落阻止部を有し、薬品容器が前記容器引出操作によって引き出された際には薬品容器と前記脱落阻止部が接触して引き出し方向への移動が規制され、前記棚板引出操作によって前記棚板部材を引き出す際には、薬品容器と前記脱落阻止部は接触せずに引き出し方向への移動が規制されないものである。
【０００９】
これらの様相の薬品棚は、薬品容器が載置された棚板部材を収納位置から引き出す棚板引出操作が可能であり、棚板部材ごと薬品容器を引き出すことで、薬品容器の姿勢を安定させたまま収容物の補填作業がし易い位置に配置できる。このとき、薬品容器と脱落阻止部は接触せず、薬品容器の引き出し方向への移動が規制されないので、この棚板部材の引き出しを円滑且つ容易に実施可能である。複数の薬品容器それぞれを簡単に補填作業がし易い状態にすることが可能であり、且つ、この状態への移行が容易である。
その一方で、棚板部材が外郭部材に収容された状態で薬品容器を引き出す容器引出操作では、薬品容器と脱落阻止部が接触して引き出し方向への移動が規制され、薬品容器の意図しない脱落を防止できる。
つまり、本様相によると、薬品容器への補填作業の容易化と、単独で引き出した薬品容器の不意の脱落の防止を両立できる。
【００１０】
上記した様相は、前記容器引出操作によって薬品容器を引き出した際に薬品容器の位置及び／又は姿勢を通常状態から変更して引出時状態に変化させる変位手段を有し、薬品容器が前記引出時状態に変化した場合には、薬品容器と前記脱落阻止部が接触する位置関係となり、薬品容器が通常状態である際には薬品容器と前記脱落阻止部は、接触しない位置関係となることが好ましい。
【００１１】
かかる様相では、棚板引出操作における引き出しの円滑化と、単独で引き出した薬品容器の不意の脱落の防止を簡単な構造で実現可能である。
【００１２】
この好ましい様相は、変位手段によって前記引出時状態に変化している状態においては、薬品容器が障害物となって前記棚板部材を引き出す操作が不能または困難となることがさらに好ましい。
【００１３】
かかる様相では、薬品容器が通常状態でないときに棚板部材を引き出すことができない、又は、引き出しにくくなる。すなわち、薬品容器が不安定な状態で棚板部材を引き出すことに起因する薬品容器の脱落を防止又は抑制できる。
【００１４】
上記した好ましい様相は、前記変位手段は、前記棚板部材に形成された隆起部であり、薬品容器が引き出された際に、薬品容器が前記隆起部に乗り上げて薬品容器の位置及び／又は姿勢が変わることがより好ましい。
【００１５】
上記した好ましい様相は、前記引出時状態は、通常状態に比べて少なくとも一部が上昇した状態であり、且つ傾斜した姿勢であることがより好ましい。
【００１６】
上記した様相は、前記棚板部材は、薬品容器を載置する載置面を有し、前記脱落阻止部は、載置面の上部側にあって上部側の前記棚板部材又は前記外郭部材から前記載置面側に突出するものであることが好ましい。
【００１７】
これらの様相は、薬品容器の脱落をより確実に防止するという観点から特に好ましい。
【００１８】
上記した様相は、薬品容器は上部側が開口する箱体であり、薬品容器に突出部があり、当該突出部が前記脱落阻止部と当接することが好ましい。
【００１９】
かかる様相では、より確実に薬品容器の脱落を防止可能であり、好ましい。
【００２０】
上記した各様相は、前記棚板引出操作の際に薬品容器が載置される位置は、薬品の保管時に薬品容器が載置される位置であり、前記棚板部材の引き出し方向における先端側となる位置であることが好ましい。
【００２１】
上記した各様相は、前記棚板部材は、薬品容器を載置する載置面を有し、前記載置面には、シート体が敷かれており、前記シート体は、布地及び合成樹脂を主たる原料とする、又は、天然皮革を主たる原料とすることが好ましい。
【００２２】
この好ましい様相では、薬品容器と棚板部材の間に働く摩擦力を大きくすることが可能であり、薬品容器の意図しない位置ずれを阻止できる。
【発明の効果】
【００２３】
本発明によると、薬品容器の引き出し時に棚板部材からの脱落を防止可能であり、薬品容器に対する収容物の補填作業が容易な薬品棚を提供できる。
【図面の簡単な説明】
【００２４】
【図１】本発明の実施形態に係る薬品棚を示す斜視図である。
【図２】図１の薬品棚の一部を示す説明図であり、（ａ）は容器引出操作によって薬品容器を引き出した状態を示し、（ｂ）は棚板引出操作によって棚板部材を引き出した状態を示す。
【図３】図１の薬品容器を示す図であり、（ａ）は斜視図、（ｂ）は断面図である。
【図４】図１の棚板部材を示す図であり、（ａ）は斜視図、（ｂ）は断面斜視図、（ｃ）は（ｂ）とは異なる位置で切断した断面斜視図である。
【図５】図１の薬品棚において容器引出操作で薬品容器を引き出す様子を示す説明図であり、（ａ）〜（ｃ）の順に薬品容器を引き出す。
【図６】図１の仕切板部の一つを示す説明図であり、（ａ）は上方からみた斜視図、（ｂ）は下方からみた斜視図、（ｃ）は断面図である。
【発明を実施するための形態】
【００２５】
以下、本発明の実施形態について説明する。なお、以下の実施形態は、本発明を具体化した例であり、本発明がこれらの例に限定されるものではない。また、前後、上下、左右の方向は、特に断りのない限り、図１の姿勢を基準に説明する。
【００２６】
本実施形態の薬品棚１は、図１で示されるように、天板部２と、２つの側壁部３と、背板部４を備えており、これらに囲まれた空間が仕切板部５によって複数の区画に分割されている。すなわち、薬品棚１は、前方が開放された小型空間を複数有する。
【００２７】
ここで、複数の区画の少なくとも１つ（本実施形態では２つ）が薬品容器７を収納する容器収容部８となっている。
なお、図１では、作図の都合上、下側の容器収容部８に薬品容器７が載置されていない状態を示し、薬品容器７には、一部にのみ符号を付して他への符号を省略している。
以下の説明では、一つの容器収容部８（上側の容器収容部８）について詳細に説明し、他の重複する説明を省略する。
【００２８】
容器収容部８は、１以上の薬品容器７を収容する部分であり、本実施形態では、複数の薬品容器７が行列状に配された状態で収容されている。
この容器収容部８は、小型の棚状部分となっている。すなわち、上下方向で離れた位置にある２つの水平板状部分（仕切板部５ａ，５ｂ）と、左右方向で離れた位置にある２つの立板状部分（外郭部材であり、側壁部３と仕切板部５ｃ）と、背板部４によって囲まれた小型空間に棚板部材１０が配されている。そして、複数の棚板部材１０が上下方向で間隔を空けて並列しており、容器収容部８の小型空間が棚板部材１０によって複数の区画に分割されている。
【００２９】
さらに、この上下方向で並列する複数の区画（空間）のそれぞれに、薬品容器７が配されている。つまり、薬品容器７は、仕切板部５ａと棚板部材１０の間、又は、隣接する２つの棚板部材１０の間に位置している。
具体的には、薬品容器７は、それぞれの棚板部材１０の上に載置されている。本実施形態では、一つの棚板部材１０の上に複数の薬品容器７が載置されており、左右方向（一方の側壁部３から他方の側壁部３へ向かう方向）で並列するように並べられている。
【００３０】
ここで、本実施形態の薬品棚１では、図２で示されるように、それぞれの薬品容器７を個別に引き出す容器引出操作（図２（ａ）参照）と、薬品容器７が載置された状態のまま棚板部材１０を引き出す棚板引出操作（図２（ｂ）参照）が可能となっている。
【００３１】
詳細に説明すると、棚板部材１０は、図示しないレール部材を介して側壁部３と仕切板部５ｃのそれぞれに取り付けられており、奥まった位置（以下、収納位置とも称す）から手前側の位置（以下、引出位置とも称す）に引き出すことが可能となっている。すなわち、棚板部材１０は、収納位置と引出位置の間で水平方向（前後方向）にスライド移動させることができる。
【００３２】
なお、棚板部材１０が収納位置に配された状態では、棚板部材１０の全体が容器収容部８の小型空間内（側壁部３、仕切板部５ｃの前端よりも後側）に位置した状態となる。
対して、引出位置に配された状態では、棚板部材１０の後側の一部分が容器収容部８の小型空間内に位置した状態となり、大部分が小型空間の外側（側壁部３、仕切板部５ｃの前端よりも手前側）に位置した状態となる。
つまり、棚板部材１０は、外郭部材に収容された状態である収納位置に配された状態からの引き出し操作が可能である。なお、ここでいう「外郭部材に収容された状態」とは、棚板部材１０が引き出された状態に比べ、棚板部材１０のより多くの部分が外郭部材の内側に位置する状態である。
【００３３】
ここで、薬品棚１は、薬品を収納した薬品容器７を棚板部材１０の上に載置させた状態とし、さらに棚板部材１０を奥側の位置（収納位置）に配した状態（図１参照、以下、保管状態とも称する）として薬品を保管する。この保管状態では、薬品容器７の全体が棚板部材１０の上側に位置するように、薬品容器７を棚板部材１０の上の所定の位置に所定の姿勢で配した状態とする（詳しくは後述する）。
【００３４】
そして、この保管状態から、それぞれの薬品容器７を個別に引き出すことで、薬品容器７の内部に収容された薬品を取り出すことができる。さらに、個別に引き出した薬品容器７を奥側へ移動させることで、再び保管状態へ移行させることができる。
なお、本実施形態の薬品棚１では、個別に引き出した薬品容器７の脱落を防止するための脱落阻止部が設けられている。この脱落阻止部については、詳しくは後述する。
【００３５】
ここで、薬品容器７に収容された薬品が減ってくると、薬品容器７に薬品を補填する必要が生じる。そこで、本実施形態では、棚板引出操作により、複数の薬品容器７を棚板部材１０ごと一度に引き出すことで、作業者が補填作業を容易に実施できる。
【００３６】
ここで、棚板部材１０の上には、薬品容器７の他、補填用容器１２が載置されている。この補填用容器１２は、棚板部材１０のうち、薬品容器７が並べられる手前側部分よりも後側（奥側）となる部分に載置されている。
【００３７】
補填用容器１２は、上方側が開放された箱体であり、内部空間が仕切板によって複数の区画（空間）に分割されている。すなわち、補填用容器１２は、上方が開放された有底箱状の本体部分と、仕切板を備えている。そして、本体部分に形成された溝状部分（図示しない）に仕切板を差し込むことで、これらを一体に取り付けている。
したがって、底板部分の上側に位置する分割されたそれぞれの空間は、周囲を立板状部分（本体部分の周壁部分の一部と仕切板）によって囲まれた空間となっている。
【００３８】
補填用容器１２の内部空間を分割して形成される区画（空間）の数は、手前側で並べられる薬品容器７の数と同数となっている。そして、左右方向で並べられた薬品容器７の後側で、上方が開放された複数の空間が並んでおり、薬品容器７の並列方向と、補填用容器１２の複数の空間の並列方向が同方向となっている。また、補填用容器１２の複数の空間のそれぞれは、手前側に位置する薬品容器７と前後方向で並んでいる。
【００３９】
ここで、補填用容器１２の複数の空間のそれぞれは、その手前側に位置する薬品容器７に補填する補填用の薬品を収容する空間となっている。
つまり、棚板部材１０を引出位置に配することで、容器収容部８の小型空間よりも外側に薬品容器７の全体と補填用容器１２の大部分が位置した状態となる。この状態とすることで、補填用容器１２に収容された薬品を薬品容器７に移し替える作業が容易となる。また、このとき、薬品容器７の下端部分の大部分が棚板部材１０と接触した状態であることから、薬品の移し替え作業を行っても、薬品容器７の姿勢を安定した状態に維持できる。
【００４０】
次に、本実施形態の薬品容器７、棚板部材１０について詳細に説明する。
【００４１】
薬品容器７は、図３で示されるように、上方が開放された略有底箱状の容器である。すなわち、薬品容器７は、容器底板部２０（底板部）と、２つの容器側壁部２１（周壁部）と、容器背板部２２（周壁部）とを有している。そして、容器底板部２０の前側部分は、上方に延びた後に下方へ延びるように屈曲しつつ延びており、この部分が前壁部分２５と手掛部２６を形成している。
【００４２】
この薬品容器７は、容器底板部２０の上側であって前壁部分２５の後側となる位置に、薬品を収容するための収容空間２８が形成されている。この収容空間２８は、２つの容器側壁部２１と容器背板部２２に囲まれた空間である。
【００４３】
ここで、容器底板部２０には、前壁部分２５と容器背板部２２の間に位置する部分に、周囲よりも上方に突出する部分である区画突起部３０が形成されている。
この区画突起部３０は、容器底板部２０が上方に延びた後に下方へ延びて形成される部分である。より詳細には、区画突起部３０の後側部分は、その上端面が前方に向かうにつれて高さが高くなるように湾曲した湾曲面となっている。そして、上端部分が上方に凸となるように丸みを帯びた形状となっており、前側部分が立壁状の部分となっている。
【００４４】
なお、収容空間２８のうち、区画突起部３０よりも後側となる部分は、薬品（錠剤）が封入されたシート状のブリスターパックを収容する部分である。これに対し、区画突起部３０よりも前側の部分は、シート状のブリスターパックから一部を切り離した余りの部分であり、シート状のブリスターパックを分割した一部分を収容するための部分である。
【００４５】
前壁部分２５は、容器底板部２０の前側部分が上方に延びて形成される部分である。
手掛部２６は、上方に向かって凸となる窪み部分（凹部）を形成する部分であり、前壁部分２５と、前壁部分２５の上端と連続して前方へ延びる部分と、下方側へ延びる立板状部分とが連続して窪み部分を形成している。
つまり、手掛部２６の一部は、前壁部分２５によって形成されており、前壁部分２５と、前壁部分２５よりも前方に位置する立板状部分の間に窪み部分が形成されている。
ここで、前端側に位置する立板状部分の下端部分は、前壁部分２５の下端部分よりも高位置にある。このことから、立板状部分の下方側に作業者が手を差し入れるための隙間が形成されている。また、手掛部２６の上端側には、図３（ｂ）で示されるように、山なりに連続する面が形成されている。すなわち、後方側に位置する前方に向かうにつれて高さが高くなる傾斜面と、その前方側に位置する前方に向かうにつれて高さが低くなる傾斜面とが連続している。
【００４６】
容器側壁部２１は、略長方形状となる立板状部分の一部を欠落させたような形状であり、詳細には、前方側の上側部分と下側部分を欠落させたような形状となっている。
すなわち、容器側壁部２１の下端面は、その前端側部分に、前方に向かうにつれて上方に向かう傾斜面である下側傾斜面２１ａが形成されている。
また、容器側壁部２１の上端面は、後側の水平面と、前方に向かうにつれて高さが低くなる前側の面とが連続して形成されている。なお、上端面の前側部分では、傾斜角度の異なる２つの傾斜面が連続して一連の面を形成しており、それぞれの傾斜面が前方へ向かうにつれて下り勾配となる傾斜面となっている。
なお、本実施形態の２つの容器側壁部２１は、いずれも厚さ方向が左右方向と同方向となる同形の部材であり、側面視で重なる位置に配され、左右方向で離間対向している。
【００４７】
容器背板部２２は、薬品容器７の後端側に位置する立板状部分であり、収容空間２８の後方側を塞ぐ部分である。この容器背板部２２の上端側には、周囲より高く突き出た部分である突出部３５が形成されている。
【００４８】
突出部３５は、左右方向（容器側壁部２１の離間方向）に延びる立板状の部分である。なお、厚さ方向の両端面（前端面及び後端面）のそれぞれは、下側に位置する容器背板部２２の厚さ方向の両端面のそれぞれと一連の面を形成している。
この突出部３５の上端部分は、薬品容器７のうちで最も高位置となる部分となる。すなわち、容器側壁部２１の上端部分や、容器背板部２２のうちで突出部３５が形成されていない部分の上端部分よりも高位置に位置している。
【００４９】
ここで、容器背板部２２の下端面は、２つの容器側壁部２１の下端面のうちで最も低位置となる部分（下側傾斜面２１ａを除いた他の部分）と上下方向の位置が同一となる。そして、これらの面が薬品容器７の下端面となる。
つまり、薬品容器７を水平面上に載置したとき、２つの容器側壁部２１の下端面の大部分と容器背板部２２の下端面が水平面と接触する接触面となり、容器底板部２０が水平面と接触しない構造となっている。
【００５０】
棚板部材１０は、図４（ａ）で示されるように、中央側に位置する載置板部４０と、この載置板部４０の縁端側に位置する２つの棚板側壁部４１及び棚板背板部４２とを備えた構造となっている。さらに、棚板部材１０では、載置板部４０の前端側周辺に突起部４５（隆起部、変位手段）と、係止部４６（脱落防止部）とが設けられている。
【００５１】
載置板部４０は、平面視形状が略横長長方形となる平板状の容器載置部４０ａと、容器載置部４０ａの前端側部分を下方側に折り曲げて形成される係止部４６とを備えた構造となっている。なお、容器載置部４０ａの後端側と両側端側のそれぞれも下方側へ折り曲げられ、容器載置部４０ａの縁端部分から垂下される立板状部が形成されている。
容器載置部４０ａの裏面には、前後方向における中心側近傍となる位置に、補強部材４８が取り付けられている。補強部材４８は、横断面の形状が略逆ハット状であり、容器載置部４０ａの左右方向における片側端部近傍から他端側端部近傍までの間で延びている。
【００５２】
棚板側壁部４１と棚板背板部４２は、いずれも上側に位置する立板部４１ａ，４２ａと、立板状部分の下端側を折り曲げて形成される鉤状部４１ｂ，４２ｂとが一体に形成された部材となっている。
立板部４１ａ，４２ａは、一部が載置板部４０よりも上側に位置し、他部が載置板部４０の上面よりも下側に位置している。鉤状部４１ｂ，４２ｂは、棚板部材１０の縁端側から中央側へ延びる平板状部分と、この平板状部分の延び方向における端部を上側へ折り曲げて形成される立板状部分を有する。
【００５３】
このことから、棚板側壁部４１と棚板背板部４２の下側部分には、立板部４１ａ，４２ａの一部分と鉤状部４１ｂ，４２ｂによって囲まれた溝状部分が形成されている。
なお、棚板側壁部４１の溝状部分と棚板背板部４２の溝状部分は連続しており（図示しない）、平面視で略コ字状に連続する一連の溝状部分を形成している。
【００５４】
突起部４５は、断面形状が略台形状で左右方向に延びる長尺部材であり、容器載置部４０ａの上面の前端側周辺となる部分に一体に固定されている。
このため、突起部４５の上端面は、奥側に隣接する容器載置部４０ａの上面よりも高位置に位置している。つまり、突起部４５は、棚板部材１０において、後側（奥側）に隣接する部分よりも上方に盛り上った部分（隆起した部分）を形成している。
【００５５】
突起部４５は、後方側に位置する傾斜面形成部４５ａ（傾斜面部）と、その手前側に隣接する載置面形成部４５ｂ（平面部）とが一体となった部材である。
傾斜面形成部４５ａは、その上端面が前方へ向かうにつれて高さの高くなる傾斜面となっている。載置面形成部４５ｂは、その上端面が水平面及び容器載置部４０ａの上面に対して略平行な面となっている。
なお、ここでいう「略平行」とは、水平面及び容器載置部４０ａの上面に対して平面部の上端面が完全に平行である場合だけでなく、多少の傾き（プラスマイナス１０度程度）を有している場合も含まれることを意味する。また、以下の「略平行」の記載も同様のものとする。
【００５６】
係止部４６は、容器載置部４０ａの前端から下方側に延びる立板状部分と、湾曲しつつ後方側へ延びる丸みを帯びた角部分と、後方へ延びる平板状部分と、この平板状部分の後端側部分を上方に折り曲げて形成される当接板部４６ａとが一体になった部分である。
当接板部４６ａは、厚さ方向が前後方向と同方向となる立板状部分であり、突起部４５の後端部分よりも前方であって、容器載置部４０ａの下面から下方側に離れた位置に形成されている。
【００５７】
ここで、棚板部材１０には、手前側から奥側までの大部分に図示しないシート（シート体）が敷かれた状態となっている。
具体的には、少なくとも棚板背板部４２の手前側の面と、突起部４５よりも奥側に位置する容器載置部４０ａの上面と、突起部４５の上面及び前側面を覆うように、シートが貼り付けられた状態となっている。
このシートは、合成皮革、人工皮革、天然皮革等の所謂レザーシートである。つまり、このシートは、布地を基材として合成樹脂を塗布したものや、布地に合成樹脂を含浸させたもの、又は、合成樹脂を含浸させた布地に対してさらに合成樹脂を塗布したものであってもよい。また、動物の皮を原料として形成されるもの（天然皮革）であってもよい。
【００５８】
さらに、本実施形態の薬品棚１で実行可能な容器引出操作について詳細に説明する。
【００５９】
まず、上記した保管状態では、図５（ａ）で示されるように、薬品容器７が載置板部４０の上の所定の位置に所定の姿勢で配された状態（以下、通常状態とも称す）となっている。
ここで、保管状態で薬品容器７が配される「所定の位置」とは、補填用容器１２が載置される領域と隣接する位置であり、容器載置部４０ａの前端よりもやや後方側から補填用容器１２が載置された領域に至るまでの位置である。つまり、「所定の位置」とは、補填用容器１２等の他部材が載置される位置とは異なる位置であり、且つ、突起部４５が形成される位置とは異なる位置であって、薬品保管時に薬品容器７が載置される位置でもある。そして、この位置が、薬品容器７が容器引出操作によって引き出される前に載置される位置となっている。
また、「所定の姿勢」とは、容器背板部２２の厚さ方向（容器背板部２２から前壁部分２５に向かう方向）が前後方向と略平行となる姿勢である。
【００６０】
ここで、保管状態では、突起部４５の後方に位置する容器載置部４０ａの上の面（容器載置部４０ａの上に敷かれたシートの上面）に薬品容器７が載置される。そして、薬品容器７の下側傾斜面２１ａを除く容器側壁部２１の下端面の全域と、容器背板部２２の下端面の全域とがこの面と接触する接触面となり、薬品容器７が突起部４５（突起部４５の上に敷かれたシート）と接触しない状態となる。すなわち、薬品容器７の大部分が突起部４５よりも後方に位置し、前側の一部分が突起部４５及び突起部４５の上のシートよりも上方に離れた位置に配された状態となる。
【００６１】
保管状態から薬品容器７を手前側に引き出していくと、薬品容器７の下側傾斜面２１ａが、突起部４５の傾斜面形成部４５ａに接触する（図示しない）。そして、そのまま薬品容器７を前方に移動させると、前方への移動に伴って薬品容器７の前側が徐々に上方へ移動し、容器側壁部２１の下端面の一部が突起部４５の上側に位置した状態となる。
すなわち、薬品容器７の下端部分の一部が突起部４５の上方の面に接触し、下端部分のうちで後側の一部が、突起部４５の後方に位置する容器載置部４０ａの上の面と接触する（図５（ｂ）参照）。
【００６２】
さらに、薬品容器７を手前側に引き出していくと、図５（ｃ）で示されるように、薬品容器７が突起部４５の上に載置され、突起部４５の後方に位置する容器載置部４０ａの上の面と接触しない状態となる。すなわち、保管状態と比べて薬品容器７の後端側部分の位置が高位置となる。つまり、突起部４５は、薬品容器７の後端側部分を上方へ移動させる変位手段として機能する。
そして、薬品容器７の上側に位置する当接板部４６ａに、薬品容器７の突出部３５が後側から接触する。すなわち、薬品容器７を一定以上引き出した状態では、係止部４６に突出部３５が当接することで、薬品容器７のさらなる手前側への移動が阻止される状態となる。
【００６３】
つまり、本実施形態では、棚板部材１０の先端側の部分であり、突起部４５と、その引き出し方向における基端側に隣接する部分の上側面（これらの上に敷かれたシートの上面）が、薬品容器７を載置する載置面となっている。そして、この載置面において、薬品容器７の載置位置を変更することで、上記した通常状態と、薬品容器７が突起部４５の上に載置された引出時状態とを切り替え可能となっている。
【００６４】
ここで、薬品容器７が突起部４５の上に載置された引出時状態では、薬品容器７が全体的に傾斜した姿勢となる。すなわち、図５（ｃ）で示されるように、引き出し方向における先端側が後端側に比べて低くなるように傾いた姿勢となる。
詳細には、薬品容器７の下面のうち、引き出し方向における基端側の一部のみが、突起部４５と接触した状態となるので、突起部４５と接触する部分よりも引き出し方向における先端側に位置する部分が、突起部４５の上面よりも下方側に位置した状態となる。すなわち、薬品容器７の自重及び内部に収容された薬品の重みにより、引き出し方向における先端側が突起部４５の上面よりも下方側に位置した状態となる。
【００６５】
この状態では、薬品容器７の下方側に位置する棚板部材１０の引き出し操作が、個別に引き出した薬品容器７が障害物になることよって阻止される（又は妨げられる）。すなわち、薬品容器７を個別に引き出した状態において、その下の棚板部材１０を誤って引き出すことに起因する薬品容器７の脱落を防止（又は抑制）できる。
【００６６】
以上のように、本実施形態の薬品棚１では、薬品容器７を容器引出操作によって引き出すことで、薬品容器７が突起部４５に乗り上げ、薬品容器７が通常状態から引出時状態へと移行する。すなわち、突起部４５が薬品容器７を通常状態から引出時状態へ移行させる変位手段として機能する。
そして、引出時状態では、通常状態に比べて薬品容器７の位置が高位置となり、且つ、底面が水平となる通常状態に比べて全体が傾いた姿勢となる。このことにより、薬品容器７の突出部３５と、係止部４６（当接板部４６ａ）とが接触可能な位置関係になる。
【００６７】
つまり、棚板引出操作では、薬品容器７が通常状態であり、薬品容器７の突出部３５と、係止部４６が接触しない位置関係となっている。このことから、棚板部材１０を引き出す際、突出部３５と係止部４６接触せず、薬品容器７の引き出し方向への移動が規制されないので、棚板部材１０の円滑な引き出しが可能となる。
対して、容器引出操作では、薬品容器７が引出時状態であり、薬品容器７の突出部３５と、係止部４６が接触しない位置関係となっている。このことから、薬品容器７を一定以上引き出すことで、突出部３５と係止部４６接触し、薬品容器７の引き出し方向への移動が規制される。
【００６８】
ここで、上記したように、突起部４５の上側部分には、レザーシートが敷かれた状態となっている。このことにより、シートを設けない場合と比べ、薬品容器７と突起部４５の間に働く摩擦力を大きくすることが可能となる。すなわち、薬品容器７を引き出した状態（図５（ｃ）参照）において、薬品容器７の意図しない後方への移動を阻止できる。
また、突起部４５の他、突起部４５の後方に位置する容器載置部４０ａの上にもレザーシートが敷かれている。このことから、薬品容器７を引き出す際に、薬品容器７を棚板部材１０に対して擦り動かす（接触させつつ移動させる）ことで生じる音を消音する（または非常に小さくする）ことが可能となる。
【００６９】
なお、本実施形態の薬品棚１では、図２等で示されるように、２つの棚板部材１０の間だけでなく、棚板部材１０と仕切板部５ａの間にも薬品容器７を配置している。
ここで、仕切板部５ａは、図６で示されるように、その前端側部分に係止部５２（脱落防止部）が設けられた略平板状の部材となっている。
【００７０】
すなわち、仕切板部５ａは、平板状の本体板部５５と、２つの側壁形成部５６と、後壁形成部５７を備えている。そして、２つの側壁形成部５６と後壁形成部５７とが本体板部５５の縁部分から下方へ垂下される立板状の部分となっており、平面視で略コ字状となるように連続している。
そして、係止部５２は、本体板部５５の前端から下方に延びる立板状部分と、この立板状部分の下端から後方に延びる平板状部分と、平板状部分の後端から上方に延びる立板状の当接板部５２ａを備えた構造となっている。すなわち、係止部５２は、屈曲しつつ延びる板状体となっており、当接板部５２ａが上記した移動規制手段として機能する部分となっている。
【００７１】
このように、棚板部材１０に載置された薬品容器７の直上に、棚板部材１０とは異なる平板状部材を配する場合、この平板状部材に係止部５２のような下方側へ突出する部分を設けることが好ましい。
なお、上記した係止部５２は、左右方向に延びる長尺状の部分となっており、その長手方向の中心近傍に平板状部分と当接板部５２ａの一部を欠落させて形成される欠落部５２ｂが形成されている。この欠落部５２ｂによって形成される領域は、他部材（仕切板部５ｃ、図１参照）を配置するための領域となっている。このように、係止部５２は、移動規制手段としての機能を発揮可能であれば、適宜形状の異なる部分を設けてもよい。
【００７２】
上記した実施形態では、薬品容器７が引出時状態であるとき、通常状態に比べて薬品容器７の位置と姿勢のそれぞれが変更される例について説明したが、本発明はこれに限るものではない。引出時状態であるとき、通常状態に比べて薬品容器７の位置と姿勢の少なくとも一方が変更され、薬品容器７の一部と係止部４６とが接触する位置関係となればよい。例えば、突起部の上面をより広く形成し、引出時状態において薬品容器７が傾かないようにしてもよい。つまり、薬品容器７の載置位置が変更されて変位手段の上に載置された際、薬品容器７が通常状態と同じ姿勢（水平に配置された状態）となるように形成してもよい。
【００７３】
上記した実施形態では、仕切板部５で区切られた複数の区画の一部を容器収容部８としたが、複数の区画の全てを容器収容部８としてもよい。
また、薬品棚１を仕切板部５で内部空間を区画しない棚として、形成される１つの内部空間に棚板部材１０を並列配置してもよい。このとき、棚の２つの側壁部分に棚板部材１０を取り付けてもよい。
さらに、薬品棚は、下方側に位置する調剤台と一体に形成されたものでもよい。すなわち、他の機能を有する部分と複合的に形成された多目的用具の一部分として形成される棚であってもよい。
【００７４】
上記した実施形態では、天板部２と、２つの側壁部３と、背板部４を備えた薬品棚１において、側壁部３と仕切板部５に棚板部材１０を取り付けた例を示したが、本発明はこれに限るものではない。薬品棚は、枠体に対して棚板部材１０を取り付けて形成される棚であってもよい。この場合、棚板部材１０を取り付ける外郭部材は板体でなく、棒状体（柱状体）やパイプ等の筒状体であってもよい。
【００７５】
補填用容器１２は、上記したように、１つの有底箱状の部材の内部空間を複数に区画するものに限らず、複数の有底箱状の部材を並列配置して形成してもよい。
【００７６】
上記した実施形態では、容器背板部２２の上端側に板状の突出部３５を形成した例を示したが、突出部３５は板状に限らず、容器背板部２２の上端から上方に突出する棒状体であってもよい。また、突出部は、容器背板部２２と一体に形成する他、容器背板部２２と突出部を別途形成し、容器背板部２２に突出部を取り付けるものであってもよい。
また、容器背板部２２の一部でなく全域を高く形成し、その上端部分を突出部としてもよい。さらに、突出部は、容器背板部２２の上側の他、容器側壁部２１の後方側に形成してもよい。つまり、薬品容器の後方側に他よりも高さが高くなる部分が形成されればよい
【００７７】
上記した実施形態では、載置板部４０と突起部４５を別途形成し、これらを一体に固定した例を示したが、載置板部と突起体部は一体に形成されてもよい。例えば、金属板体である載置板部の一部を上方に凸となるように折り曲げて突起体部を形成してもよい。
【符号の説明】
【００７８】
１；薬品棚、３；側壁部（外郭部材）、５ｃ；仕切板部（外郭部材）、７；薬品容器、１０；棚板部材、３５；突出部、４５；突起部（変位手段、隆起部）、４６；係止部（脱落阻止部）、５２；係止部（脱落阻止部）
【図１】
2019111034.tif 000003
【図２】
2019111034.tif 000004
【図３】
2019111034.tif 000005
【図４】
2019111034.tif 000006
【図５】
2019111034.tif 000007
【図６】
2019111034.tif 000008